(57)【特許請求の範囲】
【請求項１】
１又は複数枚の原稿が載置される原稿トレイから原稿を送り出す原稿給紙部と、
前記原稿トレイに原稿がセットされているか否かを検知する原稿セット検知部と、
装置への電力供給開始が、メインスイッチ投入による主電源ＯＮによるものか、省電力モード解除によるものかを判断する判断部と、
原稿がセットされていない状態で、前記原稿給紙部の初期化のためのイニシャル動作を行い、装置への電力供給開始が主電源ＯＮによるとき、前記イニシャル動作を行い、装置への電力供給開始が前記省電力モード解除によるとき、電力供給停止前の装置の状態である停止前状態が異常があったまま、あるいは、イニシャル動作が行われないまま省電力モードとなったような予め定められた状態でなければ、前記イニシャル動作を行わないイニシャル動作部と、
前記イニシャル動作を行うときであって、電力供給が開始されたとき、原稿がセットされていると、原稿の再セットを要求する再セット要求を表示し、前記イニシャル動作を行わないときであって、電力供給が開始されたとき、原稿がセットされていると、前記再セット要求を表示しない表示部と、を含むことを特徴とする原稿送り装置。
【請求項２】
装置の状態を検知する状態検知部と、
前記停止前状態を記憶する状態メモリを含み、
前記イニシャル動作部は、前記省電力モード解除による電力供給開始がなされたとき、前記停止前状態が、前記予め定められた状態であれば、前記イニシャル動作を行い、
前記表示部は、電力供給が開始されたとき、原稿がセットされていると、前記再セット要求を表示することを特徴とする請求項１記載の原稿送り装置。
【請求項３】
前記状態検知部は、装置のカバーの開閉を検知するカバー開閉検知部、原稿の搬送経路に設けられジャムを検知するための原稿搬送検知部、前記原稿セット検知部のいずれか１つ、又は、複数であり、
前記状態メモリは、前記カバーの開状態、原稿のジャム発生状態、原稿のセット状態のいずれか１つ、又は、複数を、前記予め定められた状態として記憶することを特徴とする請求項２に記載の原稿送り装置。
【請求項４】
前記イニシャル動作部は、前記原稿セット検知部が、前記原稿トレイに原稿が無くなったと検知したとき、前記原稿給紙部を持ち上げるイニシャル動作を行うことを特徴とする請求項１乃至３のいずれか１項に記載の原稿送り装置。
【請求項５】
請求項１乃至４のいずれか１項に記載の原稿送り装置を含むことを特徴とする画像形成装置。
【発明の詳細な説明】
【技術分野】
【０００１】
本発明は、読み取り対象としての原稿を１枚ずつ送り出す原稿送り装置に関する。又、この原稿送り装置を備えた画像形成装置に関する。
【背景技術】
【０００２】
従来、複数枚の原稿のコピーやスキャンを高速に行えるようにするため、原稿送り装置がスキャナや、複合機、ＦＡＸ装置等の画像形成装置に装備されることがある。原稿送り装置は、原稿トレイに載置された原稿を１枚ずつ、自動的、連続的に読み取り位置に送り出す。このような、原稿送り装置の一例が、特許文献１に記載されている。
【０００３】
具体的に、特許文献１には、自動原稿搬送手段にセットされた一連の原稿を順次搬送し、搬送された原稿の画像を読み取って記憶手段に記憶し、記憶手段に記憶された画像情報を読み出して画像を形成する画像形成装置において、自動原稿搬送手段で搬送される原稿の紙詰まりが発生した際、記憶手段に記憶済の画像情報の原稿頁を設定する第１の設定手段と、一連の原稿の読み取りを再開させる原稿頁を設定する第２の設定手段と、自動原稿搬送手段に一連の原稿が再度セットされた際、第１の設定手段で設定された原稿頁までは原稿を空排出し、第２の設定手段で設定された原稿頁からは画像を読み取って記憶手段に記憶する制御を行う制御手段と、を具備する画像形成装置が記載されている。この構成により、原稿の搬送中に発生した紙詰まりの復帰処理を正確かつ容易に行えるようにしようとする（特許文献１：請求項１、段落［００１３］等参照）。
【特許文献１】特開２０００−０５０００５号公報
【発明の概要】
【発明が解決しようとする課題】
【０００４】
原稿送り装置には、原稿を送り出す回転体（例えば、ローラやコロ）が設けられる。回転体は、最上位の原稿と接する。そして、回転体は駆動し、原稿が送り出される（給紙がなされる）。
【０００５】
ここで、原稿送り装置に積載される原稿の量は、様々である。そのため、原稿給紙用の回転体は、ある程度、上下方向に揺動自在とされる（移動可能とされる）。しかし、回転体が、原稿セット前から下がっていると、載置できる原稿の枚数が少なくなる、適切に原稿を載置できない、といった弊害が生じ得る。そこで、回転体のイニシャル動作（初期動作）を行うことがある。例えば、イニシャル動作は、モータやソレノイドを用いて、回転体を上方（上限）位置に持ち上げる動作である。
【０００６】
しかし、原稿がセットされていると、イニシャル動作を行いづらく、適切にイニシャル動作を行えない場合がある。そこで、イニシャル動作をするとき、原稿がセットされていると、原稿のトレイからの除去と、再度の原稿の載置を求める再セット要求の表示が、例えば、画像形成装置等の液晶パネルになされる。尚、いったん原稿が取り除かれたとき、イニシャル動作が行われる。
【０００７】
ここで、電力供給停止前、きちんとイニシャル動作が行われていたか不明であるので、原稿送り装置への電力供給が再開されたとき、イニシャル動作を行うようにする場合がある。例えば、電力供給は、主電源ＯＮや、スリープモード等の省電力モードが解除されたときに再開される。しかし、省電力モードへの移行前、イニシャル動作がきちんと行われた状態であれば、省電力モード解除に伴う電力供給再開では、再セット要求を行う必要はない。
【０００８】
しかし、従来、原稿送り装置は、電力供給再開が、省電力モード解除によるか、主電源ＯＮによるかの区別をしていない。そのため、省電力モード解除による電力供給再開で、イニシャル動作を行う必要がなくても、原稿がセットされていれば、再セット要求がなされていた。これは、不要な手間（原稿の取り除きと再セット）を使用者に強いるものであり、省電力モードの解除時などで原稿再セットの必要が無いとき、そのまま原稿の読み込みを行えず、煩雑で使いづらいと言う問題があった。更に、昨今の省エネへの配慮から原稿送り装置等を省電力モードにしておく傾向が強く、改善の必要性が高い。
【０００９】
尚、特許文献１記載の発明は、読み取りのジョブの途中で発生した紙詰まり等からの復帰処理を正確かつ容易に行えるようにするものであり、イニシャル動作や、省電力に関するモードに関する記載は無い。従って、不要な再セット要求による使いづらさの問題を解決することはできない。
【００１０】
本発明は、上記従来技術の問題点に鑑み、原稿送り装置でのイニシャル動作を必要最小限とし、省電力モードの解除のときなど、原稿の再セットの必要がないときは、再セットを求めること無く、そのまま原稿の読み取りを行えるようにし、原稿送り装置の使いやすさを向上させることを課題とする。
【課題を解決するための手段】
【００１１】
上記目的を達成するために、請求項１に係る原稿送り装置は、１又は複数枚の原稿が載置される原稿トレイから原稿を送り出す原稿給紙部と、前記原稿トレイに原稿がセットされているか否かを検知する原稿セット検知部と、装置への電力供給開始が、メインスイッチ投入による主電源ＯＮによるものか、省電力モード解除によるものかを判断する判断部と、原稿がセットされていない状態で、前記原稿給紙部の初期化のためのイニシャル動作を行い、装置への電力供給開始が主電源ＯＮによるとき、前記イニシャル動作を行い、装置への電力供給開始が前記省電力モード解除によるとき、電力供給停止前の装置の状態である停止前状態が異常があったまま、あるいは、イニシャル動作が行われないまま省電力モードとなったような予め定められた状態でなければ、前記イニシャル動作を行わないイニシャル動作部と、前記イニシャル動作を行うときであって、電力供給が開始されたとき、原稿がセットされていると、原稿の再セットを要求する再セット要求を表示し、前記イニシャル動作を行わないときであって、電力供給が開始されたとき、原稿がセットされていると、前記再セット要求を表示しない表示部と、を含むこととした。
【００１２】
この構成によれば、イニシャル動作部は、装置への電力供給開始が主電源ＯＮによるとき、イニシャル動作を行い、装置への電力供給開始が省電力モード解除によるとき、イニシャル動作を行わない。又、表示部は、イニシャル動作を行うときであって、電力供給が開始されたとき、原稿トレイに原稿がセットされていると、原稿の再セットを要求する再セット要求を表示する。これにより、原稿をセットして、省電力モードを解除しても、原稿の再セット要求はなされず、そのまま原稿の読み取りを行うことができる。従って、原稿をセットした状態で、電力供給が再開されても、原稿の再セットをしなくて済む場合があり、原稿送り装置の使いやすさを向上させることができる。
【００１３】
一方、装置への電力供給開始が主電源ＯＮによるとき、イニシャル動作が行われる。主電源のＯＮは、朝一番に行われるなど、頻度は少ない。従って、イニシャル動作に伴って、不要な原稿の再セット要求が行われても、弊害は少なくて済む。むしろ、リセット的に（初期化したいがための）主電源のＯＮ／ＯＦＦが行われることを考慮すると、主電源ＯＮによる電力供給の再開のとき、イニシャル動作は必ず行うようにし、確実に初期化を行い、原稿搬送でのエラーの発生を防ぐことができる。
【００１４】
又、請求項２に係る発明は、請求項１の発明において、装置の状態を検知する状態検知部と、前記停止前状態を記憶する状態メモリを含み、前記イニシャル動作部は、前記省電力モード解除による電力供給開始がなされたとき、前記停止前状態が、前記予め定められた状態であれば、前記イニシャル動作を行い、前記表示部は、電力供給が開始されたとき、原稿がセットされていると、前記再セット要求を表示することとした。
【００１５】
この構成によれば、停止前状態が、予め定められた状態のとき、イニシャル動作部は、省電力モード解除による電力供給開始でも、イニシャル動作を行い、電力供給が開始されたとき、原稿トレイに原稿がセットされていると、再セット要求が表示される。これにより、異常状態が検知されていたとき、きちんとイニシャル動作を行うことにより、原稿搬送でのエラーの発生を防ぐことができる。
【００１６】
又、請求項３に係る発明は、請求項２の発明において、前記状態検知部は、装置のカバーの開閉を検知するカバー開閉検知部、原稿の搬送経路に設けられジャムを検知するための原稿搬送検知部、前記原稿セット検知部のいずれか１つ、又は、複数であり、前記状態メモリは、前記カバーの開状態、原稿のジャム発生状態、原稿のセット状態のいずれか１つ、又は、複数を、前記予め定められた状態として記憶することとした。
【００１７】
この構成によれば、状態メモリは、カバーの開状態、原稿のジャム発生状態、原稿のセット状態のいずれか１つ、又は、複数を、予め定められた状態として記憶する。これにより、原稿搬送上、異常と認められるような状態のとき、きちんとイニシャル動作を行うことにより、原稿搬送でのエラーの発生を防ぐことができる。
【００１８】
又、請求項４に係る発明は、請求項１乃至３の発明において、前記イニシャル動作部は、前記原稿セット検知部が、前記原稿トレイに原稿が無くなったと検知したとき、前記原稿給紙部を持ち上げるイニシャル動作を行うこととした。
【００１９】
この構成によれば、原稿セット検知部が、原稿トレイに原稿が無くなったと検知したとき、原稿給紙部を持ち上げるイニシャル動作を行う。これにより、コピーや送信のための原稿の搬送が完了したときであって、省電力モードに移行する前（通常モードの間に）、原稿給紙部を持ち上げられるイニシャル動作がなされる。従って、載置できる原稿の枚数が少なくなる、といった原稿搬送上の問題の発生を防ぐことができる。
【００２０】
又、請求項５に係る画像形成装置は、請求項１乃至４のいずれかの原稿送り装置を含むこととした。
【００２１】
この構成によれば、省電力モード解除による電力供給再開のとき、原稿をセットしていても、原稿の再セットをしなくて済み、原稿送り装置が使いやすい画像形成装置を提供することができる。
【発明の効果】
【００２２】
本発明によれば、イニシャル動作を必要最小限とした原稿送り装置、画像形成装置を提供することができる。又、省電力モードの解除のとき、原稿をセットしていても再セットをせずに済み、そのまま読み取りを行え、使いやすい原稿送り装置、画像形成装置を提供することができる。
【図面の簡単な説明】
【００２３】
【図１】実施形態に係る複合機の一例を示す模型的正面断面図である。
【図２】実施形態に係るスキャナ部分の一例を示す模型的断面図である。
【図３】実施形態に係る複合機のハードウェア構成の一例を示すブロック図である。
【図４】実施形態に係る原稿送り装置の構成の一例を示すブロック図である。
【図５】実施形態に係る通常モードから省電力モードへの移行を説明するための説明図である。
【図６】実施形態に係る省電力モードの解除を説明するための説明図である。
【図７】実施形態に係る原稿送り装置の起動時の制御の一例を示すフローチャートである。
【発明を実施するための形態】
【００２４】
以下、図１〜図７を用い、本発明の実施形態に係る原稿送り装置１を説明する。なお、本実施形態では、原稿送り装置１が、複合機１００（画像形成装置に相当）に含まれる例を説明する。但し、本実施の形態に記載されている構成、配置等の各要素は、発明の範囲を限定するものではなく単なる説明例にすぎない。
【００２５】
（画像形成装置の概略）
まず、図１に基づき、本発明の実施形態の複合機１００の概略を説明する。図１は本発明の実施形態に係る複合機１００の一例を示す模型的正面断面図である。
【００２６】
図１に示すように、本実施形態に係る複合機１００は、上方に、画像読取部２と、原稿搬送部１Ａ（原稿送り装置１の主要部）が設けられる。画像読取部２と、原稿搬送部１Ａの詳細は後述する。又、画像読取部２の前面には、操作パネル３が設けられる。尚、図１では、操作パネル３を破線で図示している。
【００２７】
操作パネル３は、複合機１００の設定用のキーを表示し、使用者の入力を受け付けるタッチパネル式の液晶表示部１Ｂ（表示部に相当）を有する。尚、この操作パネル３は複合機１００の表示部であるが、原稿送り装置１の表示部としても機能する。例えば、液晶表示部１Ｂは、複合機１００や、原稿搬送部１Ａの状態を表示できる。又、操作パネル３にコピー部数等の数字入力を行うためのテンキー部３１や、コピー実行を指示するためのスタートキー３２等が配される。又、通常モードから省電力モードへの移行を指示するための節電キー３３や、電源のＯＮ／ＯＦＦを行うための電源キー３４等、各種のハードキーも設けられる。尚、省電力モードにおいては、電源キー３４や節電キー３３を押すこと（操作すること）によって、省電力モードの解除（省電力モードから通常モードへの移行）がなされるようにしてもよい。
【００２８】
又、図１に示すように、複合機１００本体には、原稿搬送部１Ａ、操作パネル３、画像読取部２の他、給紙部４、搬送路５、画像形成部６、定着部６Ｂ等が設けられる。
【００２９】
原稿搬送部１Ａは、原稿を１枚ずつ、自動的、連続的に、画像読取部２の読み取り位置（送り読取用コンタクトガラス２１）に向けて搬送する。原稿搬送部１Ａは、図１の紙面奥行き方向に支点を有し、紙面上下方向に開閉可能である。原稿搬送部１Ａは、原稿の複写時、載置読取用コンタクトガラス２２に載置された原稿を押さえる。画像読取部２は、原稿を読み取り、原稿の画像データを形成する。又、画像読取部２内には露光ランプ２５、ミラー、レンズ２４、イメージセンサ２６等の光学系部材が設けられる（詳細は後述）。
【００３０】
そして、これらの光学系部材を用い、載置読取用コンタクトガラス２２に載置され、あるいは、搬送される原稿に光を照射し、その原稿の反射光を受けたイメージセンサ２６の各画素の出力値をＡ／Ｄ変換し、画像データが生成される。複合機１００は、読み取りにより得られた画像データに基づき印刷を行うことができる（コピー機能）。
【００３１】
給紙部４は、複数の用紙（例えば、コピー用紙、普通紙、再生紙、厚紙、ＯＨＰシート等の各種シート）を収容し、１枚ずつ搬送路５に送り込む。給紙部４は、収納用紙が載置されるカセット４１を含む（図１で上方のものに４１Ａ、下方のものに４１Ｂの符号を付す）。又、カセット４１から搬送路５に送り出すため回転駆動する給紙ローラ４２が設けられる（図１で上方のものに４２Ａ、下方のものに４２Ｂの符号を付す）。例えば、印刷時には、給紙ローラ４２が回転駆動し、印刷に要する用紙が１枚ずつ搬送路５に送り出される。
【００３２】
搬送路５は、給紙部４から供給された用紙を搬送する通路である。用紙搬送経路上には画像形成部６、定着部６Ｂ等が配される。そして、搬送路５には、用紙の案内のためのガイドや、用紙搬送の際に回転駆動する搬送ローラ対５１、５２や、搬送されてくる用紙を画像形成部６の手前で待機させ、トナー像形成のタイミングを合わせて用紙を送り出すレジストローラ対５３等が設けられる。
【００３３】
画像形成部６は、画像データに基づきトナー像を形成し、搬送される用紙にトナー像を転写する。そのため、画像形成部６は、図１中に示す矢印方向に回転駆動可能に支持された感光体ドラム６１、及び、感光体ドラム６１の周囲に配設された帯電装置６２、露光装置６３、現像装置６４、転写ローラ６５等を備える。
【００３４】
トナー像形成及び転写プロセスを説明すると、感光体ドラム６１は、画像形成部６の略中心に設けられる。感光体ドラム６１は、所定方向に回転駆動する。図１において、感光体ドラム６１の右斜め上方の帯電装置６２は、感光体ドラム６１を所定電位に帯電される。図１において、帯電装置６２の右側方の露光装置６３は、画像データに基づき、レーザ光をから出力し、感光体ドラム６１表面を走査露光し、画像データに応じた静電潜像を形成する。尚、画像データは、画像読取部２で得られた画像データや、ネットワーク等により接続される外部のコンピュータ２００や相手方ＦＡＸ装置３００（図３参照）から送信された画像データ等が用いられる。
【００３５】
そして、図１において、感光体ドラム６１の右斜め下方の現像装置６４は、感光体ドラム６１に形成された静電潜像にトナーを供給して現像する。感光体ドラム６１の左方の転写ローラ６５は感光体ドラム６１に圧接し、ニップが形成される。そして、トナー像にあわせタイミングを図られ、用紙はニップに進入する。用紙進入時、転写ローラ６５には所定の電圧が印加され、用紙に感光体ドラム６１上のトナー像が転写される。
【００３６】
定着部６Ｂは、用紙に転写されたトナー像を定着させる。本実施形態における定着部６Ｂは主としてヒータ６６を内蔵する加熱ローラ６７と加圧ローラ６８で構成される。加熱ローラ６７と加圧ローラ６８は圧接しニップを形成する。そして、用紙のニップ通過により、トナーが加熱され、溶融し、トナー像が用紙に定着する。トナー定着後の用紙は、搬送ローラ対５１により、排出トレイ５４に排出される。コピー機能、プリンタ機能の使用時、画像形成（印刷）が行われる。
【００３７】
（スキャナの構成）
次に、図２を用いて、本発明の実施形態に係る複合機１００でのスキャナ部分を説明する。図２は、本発明の実施形態に係る画像形成装置のスキャナ部分の一例を示す模型的断面図である。尚、図２では、操作パネル３の図示は省略している。
【００３８】
本実施形態の複合機１００は、原稿のスキャンを行うための主なものとして、原稿搬送部１Ａ（原稿送り装置１の一部）と画像読取部２を含む。
【００３９】
まず、原稿搬送部１Ａは、画像読取部２の上方に設けられる。そして、原稿搬送部１Ａは、送り読取用コンタクトガラス２１（読み取り位置）に向けて読み取る原稿（読取対象）を１枚ずつ、自動的に連続して搬送する。原稿搬送部１Ａは、原稿搬送方向上流側から順に、原稿トレイ１１、原稿給紙ローラ１２（原稿給紙部に相当）、原稿搬送路１３、複数の原稿搬送ローラ対１４、原稿排出ローラ対１５、原稿排出トレイ１６等を備える。又、原稿搬送部１Ａは、図２の紙面奥側を支点として画像読取部２に上下方向に開閉自在に取り付けられ、画像読取部２の各コンタクトガラスを上方から押さえる押さえ板さえ板として機能する。
【００４０】
複数枚の原稿は、原稿トレイ１１に載置される。そして、原稿給紙ローラ１２は、原稿トレイ１１に載置された原稿のうち最上位の原稿に当接する。原稿給紙ローラ１２は、破線で示すように、上下方向に移動可能である。尚、例えば、原稿搬送部１Ａ内に設けられたガイド溝により、原稿給紙ローラ１２の回転軸が上下方向にのみ移動できるようにされ、原稿給紙ローラ１２の移動（揺動）方向は、規制される。
【００４１】
原稿がセットされる前、原稿給紙ローラ１２は、破線で示す基本位置に待避される（イニシャル動作）。この待避は、イニシャル動作部９が行う（詳細は後述）。基本位置への待避（イニシャル動作）により、原稿給紙ローラ１２は、原稿を載置するとき、邪魔にならない。そして、原稿を送るとき、原稿給紙ローラ１２は、下降し、原稿トレイ１１に載置された原稿のうち最上位の原稿と接する。スタートキー３２の押下等、原稿読取を行う旨の入力が複合機１００に入力されると、原稿給紙ローラ１２は回転し、原稿搬送路１３に原稿を１枚ずつ送り出す。
【００４２】
送り出された原稿は、複数の原稿搬送ローラ対１４やガイドに導かれ、画像読取部２上面に設けられた送り読取用コンタクトガラス２１の上面を通過する。この通過の際、画像読取部２が読取を行う。そして、読取が完了した原稿は、原稿排出ローラ対１５から原稿排出トレイ１６に排出される（原稿搬送経路を２点鎖線で図示）。尚、上記の各回転体（原稿給紙ローラ１２、原稿搬送ローラ対１４、原稿排出ローラ対１５）は、搬送モータ１７（図５参照）を駆動源として回転する。
【００４３】
次に、本実施形態における画像読取部２を説明する。画像読取部２は、搬送される原稿を読み取るための送り読取用コンタクトガラス２１と、載置された原稿を読み取るための載置読取用コンタクトガラス２２を上面に有する。
【００４４】
又、図２に示すように、画像読取部２の筐体内に、第１移動枠２３１、第２移動枠２３２、ワイヤ２３３、巻取ドラム２３４、レンズ２４と、いった光学系部材と、原稿に光を照射するランプ２５と、原稿に照射された光が入射され、１ライン毎に原稿を読み取り、画像データを生成するためのイメージセンサ２６等が配される。イメージセンサ２６は、例えば、ライン状に光電変換素子を並べたＣＣＤ（Charge Coupled Device）で構成され、原稿の反射光を元に、主走査方向で１ライン毎に原稿を読み取る。主走査方向（原稿搬送方向と垂直な方向）にライン単位で読取が行われ、ライン単位の読取を副走査方向（原稿搬送方向）に連続して繰り返し行って、１枚の原稿が読み取られる。
【００４５】
ランプ２５から発せられた光は、送り読取用コンタクトガラス２１上の原稿に当たり、反射光を第１ミラー２７１（第１移動枠２３１）、第２ミラー２７２（第２移動枠２３２）、第３ミラー２７３（第２移動枠２３２）といった光学系部材で反射させて、レンズ２４に導く。レンズ２４は反射光を集光し、イメージセンサ２６に入射する。
【００４６】
第１移動枠２３１及び第２移動枠２３２には複数本のワイヤ２３３が取り付けられる（図２では、便宜上１本のみ図示）。ワイヤ２３３の他端は巻取ドラム２３４に接続され、巻取モータ（不図示）を駆動源として、巻取ドラム２３４が正逆回転し、第１移動枠２３１と第２移動枠２３２は水平方向に自在に移動する。
【００４７】
まず、原稿搬送部１Ａにより搬送される原稿の読取の場合、巻取モータが駆動した後、第１移動枠２３１と第２移動枠２３２は、送り読取用コンタクトガラス２１の下方位置（読み取り位置）に固定される。そして、通過する原稿に対し、ランプ２５は光を照射する。一方、載置読取用コンタクトガラス２２上に載置された原稿を読み取る場合、第１移動枠２３１及び第２移動枠２３２を、巻取ドラム２３４やワイヤ２３３等により、ホームポジションから図２の右方向に水平に移動させ、走査動作を、順次原稿端部まで連続的に行う。
【００４８】
（複合機１００のハードウェア構成）
次に、図３を用いて、本発明の実施形態に係る複合機１００のハードウェア構成の一例を説明する。図３は、本発明の実施形態に係る複合機１００のハードウェア構成の一例を示すブロック図である。
【００４９】
まず、複合機１００本体内には、主制御部７が設けられる。主制御部７は、複合機１００の制御を司る。複合機１００の主制御部７には、中央演算処理装置として、ＣＰＵ７１が設けられる。ＣＰＵ７１は、記憶部７２に格納され、展開される制御プログラムに基づき演算等を行い、複合機１００の各部を制御する。又、主制御部７内（主制御部７外でもよい）に設けられる記憶部７２は、例えば、ＲＡＭ（Random Access Memory）やＲＯＭ（Read Only Memory）やＨＤＤ（Hard disk drive）やフラッシュＲＯＭ等の不揮発性と揮発性のメモリからなる。
【００５０】
記憶部７２は、複合機１００を制御するためのプログラム、データ等を記憶する。主制御部７は、記憶部７２のプログラムやデータを利用して、各部（原稿搬送部１Ａ、画像読取部２、操作パネル３、給紙部４、搬送路５、画像形成部６、定着部６Ｂ等）と通信可能に接続され、制御し、印刷、原稿読み取り、画像データ送信等を行わせる。尚、主制御部７は、全体制御や通信制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明ではこれらの制御部をまとめた形態を示し、説明する。
【００５１】
又、例えば、主制御部７には、画像読取部２で原稿を読み取って得られた画像データや通信部８Ａを介して複合機１００に入力された画像データに対し、画像処理を施す画像処理部７３が設けられる。画像処理部７３は、画像処理用のＡＳＩＣやワークメモリ等を含む回路である。画像処理部７３が処理した画像データは、例えば、露光装置６３に送信されて感光体ドラム６１の走査・露光に用いられ、又は、通信部８Ａに送信され、外部に送信される。又、主制御部７内のタイマは、省電力モードへの移行等、制御に要する時間を計時する（ＣＰＵ７１が時間を計時してもよい）。
【００５２】
又、主制御部７は、操作パネル３と接続される。主制御部７は、操作パネル３になされた入力を認識し、使用者の設定にあわせてコピー等が行われるように複合機１００を制御する。例えば、操作パネル３で、使用する給紙部４を指定してコピーする旨が設定されると、主制御部７は、指定された給紙部４から給紙を行わせる。又。操作パネル３で指定された送信先に、主制御部７は通信部８Ａから画像データを送信させる。
【００５３】
そして、複合機１００内の通信部８Ａは、外部のコンピュータ２００等（例えば、パーソナルコンピュータ）と通信を行うため、ネットワーク通信用の回路、通信チップ、各種コネクタ、ソケットなどを含む。そして、主制御部７は、通信部８Ａと、通信可能に接続され、通信部８Ａでの送受信の制御を行う。又、主制御部７は、通信部８Ａで受信された受信データの受け取りや、送信データの通信部８Ａへの引き渡しを行う。又、通信部８Ａは、画像読取部２で得られた画像データをコンピュータ２００に送信することができる。（スキャナ機能）。又、画像読取部２で得られた画像データをＥメールに添付して外部のコンピュータ２００に送信することもできる。又、外部のコンピュータ２００から送信され、複合機１００に入力される画像データに基づき印刷を行うこともできる（プリンタ機能）。
【００５４】
又、通信部８Ａには、電話回線により外部のＦＡＸ装置３００と通信を行うための電話線用ソケットやＦＡＸモデム等を含めてもよい。この場合、通信部８Ａは、相手方ＦＡＸ装置３００と画像データの送受信を行える（ＦＡＸ機能）。
【００５５】
又、主制御部７は、電源部８Ｂと接続される。電源部８Ｂは、内部に、整流、降圧、昇圧等を行う電力変換部８２を有する。電力変換部８２は、外部から供給される電力（商用電源）を受け、モータ供給用の電圧（例えば、ＤＣ２４Ｖ）や、主制御部７や、操作パネル３や、記憶部７２や、通信部８Ａへの供給用の電圧（例えば、ＤＣ５Ｖ、３．３Ｖ、１．８Ｖ等）を生成する。
【００５６】
又、電源部８Ｂは、電源部８Ｂ内で生成される電圧や、複合機１００の各部への電力の供給と遮断を制御する電力制御部８１を有する。電力制御部８１は、例えば、通常モードでは、複合機１００を動作させる上で必要な全ての種類の電圧を生成するように電力変換部８２を制御し、複合機１００内の全体への電力供給を行う。一方、省電力モードでは、電力制御部８１は、省電力モードでも動作させる部分への供給用の電圧のみを電力変換部８２に生成させ、省電力モードでも動作させる部分に対してのみ電力を供給する。そのため、例えば、電力制御部８１は、スイッチング回路（素子）を含み、電力を供給する部分と、電力を供給しない部分との切り分けを行う。尚、通常モードと省電力モードについての詳細は、後述する。
【００５７】
尚、本実施形態の複合機１００では、外部から供給される電力との接続、遮断を行うためのメインスイッチ８３が設けられる。例えば、メインスイッチ８３は、複合機１００の側面等に設けられる機械的なスイッチである。このメインスイッチ８３をＯＮ／ＯＦＦにより、主電源投入や遮断を切り替えることができる。
【００５８】
（原稿送り装置１のハードウェア構成）
次に、図４を用いて、本発明の実施形態に係る原稿送り装置１のハードウェア構成の一例を説明する。図４は、本発明の実施形態に係る原稿送り装置１の構成の一例を示すブロック図である。
【００５９】
上述したように、本実施形態の複合機１００は、原稿を読み取るための構成として、原稿搬送部１Ａを含む。そして、原稿送り装置１には、原稿搬送部１Ａが含まれる。又、詳細は後述するが、本発明の原稿送り装置１には、再セット要求等の表示を行うため、図４に示すように、操作パネル３（液晶表示部１Ｂ）を含めることができる。言い換えると、原稿搬送部１Ａや液晶表示部１Ｂで原稿送り装置１が構成される。尚、原稿送り装置１にその他の部分（例えば、主制御部６など）を含むと解することもできる。尚、本発明を原稿送り装置１を含む画像形成装置と捉えるならば、操作パネル３は、画像形成装置の一部として設けられていればよく、操作パネル３は、任意の箇所に設置されてもかまわない。
【００６０】
そして、原稿搬送部１Ａには、原稿搬送部１Ａの動作の制御を行う原稿搬送制御部１０（判断部に相当）が設けられる。原稿搬送制御部１０は、例えば、ＣＰＵ、マイコン、チップなどを含む基板である。原稿搬送制御部１０は、主制御部７等と通信を行い、主制御部７等の指示を受け、原稿搬送部１Ａの実際の動作制御を行う。
【００６１】
又、原稿搬送部１Ａ内には、原稿搬送部１Ａの制御用のプログラムやデータを記憶する記憶装置としてのメモリ１８が設けられる。メモリ１８は、例えば、原稿搬送開始や終了のタイミング調整用のデータ、プログラムなどを記憶する。
【００６２】
そして、例えば、コピー等のため、主制御部７から原稿の読取指示があったとき、原稿搬送制御部１０は、メモリ１８のデータやプログラムを利用して、搬送モータ１７を駆動させ、原稿給紙ローラ１２や原稿搬送ローラ対１４等を回転させる。その結果、原稿の搬送が行われる。
【００６３】
又、原稿搬送制御部１０は、原稿給紙ローラ１２のイニシャル動作（初期動作）を行うイニシャル動作部９の動作を制御する。イニシャル動作は、原稿トレイ１１に載置できる原稿枚数が少なくならないようにする等の観点から、原稿給紙ローラ１２を持ち上げる動作である。具体的には、イニシャル動作部９は、モータやソレノイドなど、原稿給紙ローラ１２のを持ち上げる部材を含む。
【００６４】
例えば、イニシャル動作は、複合機１００や原稿搬送部１Ａの主電源がＯＮされたとき、なされる。又、印刷やスキャンのため、搬送していた原稿束が、原稿トレイ１１から無くなったとき、次の原稿セットと搬送に備え、イニシャル動作が行われてもよい。即ち、イニシャル動作部９は、原稿セット検知部（原稿セットセンサＳ３）が、原稿トレイ１１に原稿が無くなったと検知したとき、原稿給紙部（原稿給紙ローラ１２）を持ち上げるイニシャル動作を行う。あるいは、イニシャル動作は、原稿搬送部１Ａでの搬送でジャムが生じたとき、行われてもよい。
【００６５】
又、原稿搬送部１Ａには、原稿搬送部１Ａの状態を検知するためのセンサ設けられる。例えば、図４に示すように、原稿搬送部１Ａには、カバーセンサＳ１（状態検知部、カバー開閉検知部に相当）、原稿搬送センサＳ２（状態検知部、原稿搬送検知部に相当）、原稿セットセンサＳ３（状態検知部、原稿セット検知部に相当）が設けられる（図２参照）。
【００６６】
原稿が詰まったとき（ジャムしたとき）、詰まった原稿を取り除く処理を容易に行えるように、原稿給紙ローラ１２や原稿搬送路１３の上方の筐体部分（カバー１Ａｃ）は、開けられるようになっている（図２参照、開閉方向の一例を白抜矢印で図示）。これにより、原稿搬送経路を露出させて、詰まった原稿を取り除くことができる。一方、カバー１Ａｃが開いた状態であれば（半開状態を含む）、原稿の搬送はできない。そこで、カバーセンサＳ１は、カバー１Ａｃの開閉を検知するため設けられる。
【００６７】
カバーセンサＳ１は、カバー１Ａｃを完全に閉じているときと、閉じていないときの出力が異なる（例えば、インターロックスイッチ）。尚、カバーセンサＳ１は、例えば、光センサなど、カバー１Ａｃの開閉を検知できるものでもよい。そして、カバーセンサＳ１の出力は、原稿搬送制御部１０に入力され、原稿搬送制御部１０は、カバーセンサＳ１の出力に基づき、カバー１Ａｃの開閉の状態を認識する。
【００６８】
原稿搬送センサＳ２は、原稿の搬送経路に設けられる。原稿搬送センサＳ２は、原稿の存在を検知しているときと、検知していないときの出力が異なる（例えば、透過型の光センサ）。尚、原稿搬送センサＳ２は、光センサに限られず、用紙の存在を検知できるものであればよい。そして、原稿搬送センサＳ２の出力は、原稿搬送制御部１０に入力される。原稿搬送制御部１０は、原稿搬送センサＳ２の出力に基づき、原稿が正しく搬送されているか否かを判断する。
【００６９】
原稿搬送制御部１０は、原稿搬送センサＳ２が原稿の到達（存在）を検知すべき時間から許容範囲を超えても検知しないとき、あるいは、原稿搬送センサＳ２が原稿の通過（不存在）を検知すべき時間から許容範囲を超えても検知しないとき、原稿のジャムが生じたと認識する。
【００７０】
原稿セットセンサＳ３は、例えば、原稿トレイ１１内部に設けられる（図２参照）。原稿セットセンサＳ３は、原稿トレイ１１に原稿が有るときと、無いときで出力が異なる（例えば、アクチュエータ型の光センサ）。尚、原稿セットセンサＳ３は、原稿の存在を検知できるものであればよい。そして、原稿セットセンサＳ３の出力は、原稿搬送制御部１０に入力される。原稿搬送制御部１０は、原稿セットセンサＳ３の出力に基づき、原稿トレイ１１に原稿が存在するか（セットされているか）否かを判断する。原稿搬送制御部１０は、原稿セットセンサＳ３の出力が、原稿の存在を示す値であれば、原稿が原稿トレイ１１にセットされていると認識する。
【００７１】
又、原稿搬送部１Ａには、原稿搬送部１Ａの状態を、不揮発的に、記憶する状態メモリ１９が設けられる。状態メモリ１９は、原稿搬送部１Ａの状態を記憶する。
【００７２】
原稿搬送制御部１０が、カバー１Ａｃの開状態、原稿搬送でジャムが生じている状態、原稿トレイ１１に原稿がセットされている状態、といった状態を検知すると、状態メモリ１９は、これらの状態と成っていることを記憶する。尚、原稿搬送制御部１０が、カバー１Ａｃが閉じられた、ジャム解消、セット原稿無し認識すると、状態メモリ１９は、カバー１Ａｃの閉状態、ジャムなし、セット原稿無し、といった状態であることを新たに記憶する。
【００７３】
（電力供給における各モード）
次に、図５、図６に基づき、本発明の実施形態に係る複合機１００での電力供給の一例を説明する。図５は、本発明の実施形態に係る通常モードから省電力モードへの移行を説明するための説明図である。図６は、本発明の実施形態に係る省電力モードの解除を説明するための説明図である。
【００７４】
〈主電源投入時〉
まず、メインスイッチ８３がＯＦＦ状態からＯＮ状態となり、主電源が投入されると、電源部８Ｂは、商用電源と接続される。そして、電源部８Ｂは、上述したように、複数種の電圧を生成する。
【００７５】
そして、主制御部７や原稿送り装置１など、複合機１００の全ての構成に、電源部８Ｂから電力が供給され、順次起動、ウォームアップが開始される。例えば、電力供給開始により、記憶部７２から主電源投入時のメインプログラムの読み出しがなされる。また、例えば、主制御部７や原稿搬送制御部１０の起動や、定着部６Ｂの温めなど、複合機１００を使用できる状態とするためのウォームアップが行われる。最終的に、主電源投入によって複合機１００の全ての機能が利用できる状態となる。
【００７６】
そして、通常モードとは、例えば、主電源が投入され、ウォームアップが完了し、複合機１００を直ちに利用できる状態としておくため、複合機１００の（全ての）各部に電力が供給されている状態である。
【００７７】
〈通常モードから省電力モードへの移行〉
次に、図５を用いて、通常モードから省電力モードへの移行を説明する。通常モードでは、直ちに複合機１００を利用できるが、主制御部７や原稿送り装置１での待機状態での電力消費や、定着部６Ｂでの温度維持など、複合機１００を使用していない状態でも、一定の電力が消費される。そこで、本実施形態の複合機１００は、省電力モードを有する。省電力モードは、消費電力を通常モードよりも減らすモードである。
【００７８】
通常モードから省電力モードへの移行条件が整うと（満たされると）、通常モードから省電力モードへの移行がなされる。移行条件は、任意に定めることができる。例えば、複合機１００に対する入力（操作パネル３への入力や、通信部８Ａへのデータの入力等）がなくなり、使用されない状態（待機状態）となってから、予め定められた時間が経過すると、主制御部７は、省電力モード移行条件を満たしたと判断する。又、あるいは、操作パネル３に設けられる節電キー３３を押すことが、省電力モードへの移行条件とされてもよい。
【００７９】
省電力モードへの移行条件が満たされると、図５に示すように、主制御部７は、電源部８Ｂの電力制御部８１に省電力モードへの移行を指示する。この指示を受け、電力制御部８１は、省電力モードでも動作させる部分にのみ電力が供給されるように、電力供給経路のスイッチングを行う。又、電力制御部８１は、省電力モードで必要な電圧のみを電力変換部８２に生成させる。これにより、原稿送り装置１、画像読取部２、画像形成部６など、複合機１００を構成する部分への電力供給が停止される。
【００８０】
〈省電力モードへの解除・省電力モード→通常モード〉
本実施形態の省電力モードでは、電力供給を行う電源部８Ｂ、省電力モードの解除条件が満たされたか（解除信号が生じたか）を検知する解除検知部と、解除検知部の出力を受け、省電力モードの解除指示（通常モードの移行指示）を電源部８Ｂに与える通信部８Ａ、など特定の部分に対してのみ電力の供給がなされる。尚、通信部８Ａの代わりに、主制御部７を用いて、省電力モードの解除が行われてもよい（この場合は、主制御部７に省電力モードでも電力供給）。
【００８１】
省電力モードから通常モードへの移行条件（省電力モードの解除条件）が整うと、省電力モードから通常モードへの移行（解除）がなされる。解除条件は、任意に定めることができる。例えば、図６に示すように、外部のコンピュータ２００やＦＡＸ装置３００からの印刷等のジョブデータの受信が解除条件とされてもよい（通信部８Ａが解除検知部）。あるいは、図６に示すように、操作パネル３での電源キー３４（節電キー３３でもよい）が押されたことが、解除条件とされてもよい（操作パネル３が解除検知部）。又、原稿搬送部１Ａの持ち上げと持ち下げ（原稿搬送部１Ａの開閉）が解除条件とされてもよい。尚、原稿搬送部１Ａの開閉を検知するため、画像読取部２の上面に開閉検知センサＳ４が設けられてもよい（図１参照、開閉検知センサＳ４が解除検知部）。開閉検知センサＳ４は、例えば、一定角度以上、原稿搬送部１Ａが開けられたことを検知する光センサである。
【００８２】
解除条件が満たされると、通信部８Ａ（主制御部７でもよい）は、電源部８Ｂの電力制御部８１に通常モードへの復帰を指示する。この指示を受け、電力制御部８１は、複合機１００の全ての部分に電力が供給されるように、電力供給経路を全て閉じるスイッチングを行う。又、電力制御部８１は、全種類の電圧を電力変換部８２に生成させる。これにより、原稿送り装置１、画像読取部２、画像形成部６など、複合機１００を構成する全部への電力供給が再開される。このように、電力制御部８１は、予め定められた省電力モードへの移行条件が整うと、各部、各装置への電力供給を停止し、省電力モードの解除条件が整うと、各部、各装置への電力供給を再開する。
【００８３】
尚、省電力モードの解除により、原稿送り装置１や主制御部７などに電力供給が再開されたとき、図６に示すように、電力制御部８１が原稿搬送制御部１０に通知してもよいし、主制御部７を経由したうえで、原稿搬送制御部１０に通知されてもよい。尚、メインスイッチ８３の投入による主制御部７や原稿送り装置１への電力供給再開であるとき、電力制御部８１は、主電源投入により電力供給再開がなされた旨を、電力制御部８１が原稿搬送制御部１０に通知してもよいし、主制御部７を経由したうえで、原稿搬送制御部１０に通知されてもよい。このような、本体側からの信号に基づき、原稿搬送制御部１０は、電力供給再開の原因（主電源ＯＮか、省電力モード解除）を判断できる。
【００８４】
（原稿送り装置１の起動時の制御）
次に、図７を用い、本発明の実施形態に係る原稿送り装置１の起動時の制御の一例を説明する。図７は、本発明の実施形態に係る原稿送り装置１の起動時の制御の一例を示すフローチャートである。
【００８５】
図７のスタートは、メインスイッチ８３のＯＮによる主電源投入、あるいは、省電力モード解除により、原稿送り装置１に対して電力供給再開がなされた時点である。
【００８６】
そして、原稿送り装置１中の原稿搬送制御部１０は、電力供給再開が主電源ＯＮ（メインスイッチ８３のＯＮ）によるか否かを確認する（ステップ♯１）。具体的に、原稿搬送制御部１０には、電力制御部８１や主制御部７などから電力供給再開の原因（メインスイッチ８３のＯＮによるか、省電力モード解除によるか）が通知される。そこで、原稿搬送制御部１０は、この通知内容を確認する。このように、原稿搬送制御部１０は、外部から与えられる、電力供給再開の原因を示す情報に基づき、主電源ＯＮか、省電力モード解除かを判断できる。
【００８７】
そして、もし、主電源ＯＮによるものであれば（ステップ♯１のＹｅｓ）、原稿搬送制御部１０は、原稿セットセンサＳ３の出力を確認し、原稿がセットされているかを確認する（ステップ♯２）。原稿がセットされていれば（ステップ♯２のＹｅｓ）、操作パネル３の液晶表示部１Ｂは、原稿再セット要求を表示する（ステップ♯３）。具体的に、原稿搬送制御部１０は、原稿再セット要求の表示をすべき旨のデータを、操作パネル３又は主制御部７に送信する。
【００８８】
即ち、本発明の原稿送り装置１は、１又は複数枚の原稿が載置される原稿トレイ１１から原稿を送り出す原稿給紙部（原稿給紙ローラ１２）と、原稿トレイ１１に原稿がセットされているか否かを検知する原稿セット検知部（原稿セットセンサＳ３）と、装置への電力供給開始が、メインスイッチ８３投入による主電源ＯＮによるものか、省電力モード解除によるものかを判断する判断部（原稿搬送制御部１０）と、原稿がセットされていない状態で、原稿給紙部（原稿給紙ローラ１２）の初期化のためのイニシャル動作を行い、装置への電力供給開始が主電源ＯＮによるとき、イニシャル動作を行い、装置への電力供給開始が省電力モード解除によるとき、イニシャル動作を行わないイニシャル動作部９と、イニシャル動作を行うときであって、電力供給が開始されたとき、原稿がセットされていると、原稿の再セットを要求する再セット要求を表示する表示部（液晶表示部１Ｂ）と、を含むこととした。
【００８９】
原稿再セット要求の表示は、特別図示しないが、文字や図（動画でもよい）により、セットされた原稿をいったん取り除き、再びセットして欲しい旨を示す表示である。この原稿再セットの要求は、イニシャル動作を行うためになされる。言い換えると、原稿がセットされているとイニシャル動作ができないので原稿再セット要求を行う。
【００９０】
原稿再セット要求の表示後（ステップ♯３の後）、原稿搬送制御部１０は、原稿セットセンサＳ３の出力を確認し、原稿が抜かれたか（取られたか）を確認する（ステップ♯４）。尚、原稿が抜かれたことの確認は、原稿が抜かれるまで続けられる（ステップ♯４のＮｏ→ステップ♯４のループ）。
【００９１】
そして、主電源ＯＮによる電力供給再開の場合（ステップ♯１のＹｅｓ）であって、原稿がセットされていないとき（ステップ♯２のＮｏ）、あるいは、原稿がセットされていても、いったん抜かれ、取り除かれたとき（ステップ♯４のＹｅｓ）、原稿搬送制御部１０は、イニシャル動作部９を制御して、原稿給紙ローラ１２を上方向に移動させるイニシャル動作を行わせる（ステップ♯５）。
【００９２】
一方、主電源ＯＮによるものでないとき（ステップ♯１のＮｏ）、原稿搬送制御部１０は、状態メモリ１９により、省電力モードに移行する直前の原稿送り装置１の状態を確認する（ステップ♯６）。そして、原稿搬送制御部１０は、省電力モードに移行する直前の原稿送り装置１の状態が、予め定められた状態であるかを確認する（ステップ♯７）。
【００９３】
本実施形態では、省電力モード解除の時、イニシャル動作は原則行わない。しかし、省電力モード移行の直前の状態に異常があり、省電力モードに移行したときに、イニシャル動作がきちんとされていたか不明であるとき、省電力モードの解除のときにもイニシャル動作を行うようにする。
【００９４】
そこで、例えば、「予め定められた状態」は、例えば、カバー１Ａｃの開状態、原稿搬送でジャムが生じている状態、原稿トレイ１１に原稿がセットされている状態、というように、異常があったまま、あるいは、イニシャル動作が行われないまま省電力モードとなったと考えられ得る状態とすることができる。一方、省電力モードに移行する直前に、カバー１Ａｃ閉、ジャムなし、セット原稿無し、といった、原稿送り装置１に別段異常が認められないと考えられる状態は、「予め定められた状態」に含める必要はない。
【００９５】
省電力モードに移行する直前の原稿送り装置１の状態が、予め定められた状態であれば（ステップ♯７のＹｅｓ）、イニシャル動作を行うことが好ましいので、ステップ♯２に移行する。一方、予め定められた状態で無ければ（ステップ♯７のＮｏ）、イニシャル動作を行うことなく、本制御は終了される（エンド）。この結果、必要が無ければ、イニシャル動作が行われない。従って、使用者は、原稿をセットして、省電力モードを解除しても、必要でない限り、原稿の再セットが求められない。
【００９６】
即ち、本発明の原稿送り装置１は、装置の状態を検知する状態検知部（カバーセンサＳ１、原稿搬送センサＳ２、原稿セットセンサＳ３等）と、電力供給停止前の装置の状態である停止前状態を記憶する状態メモリ１９を含み、イニシャル動作部９は、省電力モード解除による電力供給開始がなされたとき、停止前状態が、予め定められた状態であれば、イニシャル動作を行い、表示部（液晶表示部１Ｂ）は、電力供給が開始されたとき、原稿がセットされていると、再セット要求を表示する。具体的に、状態検知部は、装置のカバー１Ａｃの開閉を検知するカバー開閉検知部（カバーセンサＳ１）、原稿の搬送経路に設けられジャムを検知するための原稿搬送検知部（原稿搬送センサＳ２）、原稿セット検知部（原稿セットセンサＳ３）のいずれか１つ、又は、複数であり、状態メモリ１９は、カバー１Ａｃの開状態、原稿のジャム発生状態、原稿のセット状態のいずれか１つ、又は、複数を、予め定められた状態として記憶する。
【００９７】
このようにして、本実施形態の発明によれば、イニシャル動作部９は、装置への電力供給開始が主電源ＯＮによるとき、イニシャル動作を行い、装置への電力供給開始が省電力モード解除によるとき、イニシャル動作を行わない。又、表示部（液晶表示部１Ｂ）は、イニシャル動作を行うときであって、電力供給が開始されたとき、原稿トレイ１１に原稿がセットされていると、原稿の再セットを要求する再セット要求を表示する。これにより、原稿をセットして、省電力モードを解除しても、原稿の再セット要求はなされず、そのまま原稿の読み取りを行うことができる。従って、原稿をセットした状態で、電力供給が再開されても、原稿の再セットをしなくて済む場合があり、原稿送り装置１の使いやすさを向上させることができる。
【００９８】
一方、装置への電力供給開始が主電源ＯＮによるとき、イニシャル動作が行われる。主電源のＯＮは、朝一番に行われるなど、頻度は少ない。従って、イニシャル動作に伴って、不要な原稿の再セット要求が行われても、弊害は少なくて済む。むしろ、リセット的に（初期化したいがための）主電源のＯＮ／ＯＦＦが行われることを考慮すると、主電源ＯＮによる電力供給の再開のとき、イニシャル動作は必ず行うようにし、確実に初期化がなされ、原稿搬送でのエラーの発生を防ぐことができる。
【００９９】
又、停止前状態が、予め定められた状態のとき、イニシャル動作部９は、省電力モード解除による電力供給開始でも、イニシャル動作を行い、電力供給が開始されたとき、原稿トレイ１１に原稿がセットされていると、再セット要求が表示される。これにより、異常状態が検知されていたとき、きちんとイニシャル動作を行うことにより、原稿搬送でのエラーの発生を防ぐことができる。
【０１００】
又、状態メモリ１９は、カバー１Ａｃの開状態、原稿のジャム発生状態、原稿のセット状態のいずれか１つ、又は、複数を、予め定められた状態として記憶する。これにより、原稿搬送上、異常と認められるような状態のとき、きちんとイニシャル動作を行うことにより、原稿搬送でのエラーの発生を防ぐことができる。
【０１０１】
又、原稿セット検知部（原稿セットセンサＳ３）が、原稿トレイ１１に原稿が無くなったと検知したとき、原稿給紙部（原稿給紙ローラ１２）を持ち上げるイニシャル動作を行う。これにより、コピーや送信のための原稿の搬送が完了したときであって、省電力モードに移行する前に（通常モードの間に）、原稿給紙部（原稿給紙ローラ１２）を持ち上げられるイニシャル動作がなされる。従って、載置できる原稿の枚数が少なくなる、といった原稿搬送上の問題の発生を防ぐことができる。
【０１０２】
又、省電力モード解除による電力供給再開のとき、原稿をセットしていても、原稿の再セットをしなくて済み、原稿送り装置１が使いやすい画像形成装置（例えば、複合機１００）を提供することができる。
【０１０３】
以上、本発明の実施形態を説明したが、本発明の範囲はこれに限定されず、発明の主旨を逸脱しない範囲で種々の変更を加えて実施することができる。
【産業上の利用可能性】
【０１０４】
本発明は、原稿送り装置や、これを備えた画像形成装置に利用可能である。
【符号の説明】
【０１０５】
１      原稿送り装置                １Ａ    原稿搬送部（原稿送り装置の一部）
１Ｂ    液晶表示部（表示部、原稿送り装置の一部）
１０    原稿搬送制御部（判断部）
１１    原稿トレイ                  １２    原稿給紙ローラ（原稿給紙部）
１９    状態メモリ                  ８３    メインスイッチ
９      イニシャル動作部            １００  複合機（画像形成装置）
Ｓ１    カバーセンサ（状態検知部、カバー開閉検知部）
Ｓ２    原稿搬送センサ（状態検知部、原稿搬送検知部）
Ｓ３    原稿セットセンサ（状態検知部、原稿セット検知部）
【図１】
0005331775.tif 000002
【図２】
0005331775.tif 000003
【図３】
0005331775.tif 000004
【図４】
0005331775.tif 000005
【図５】
0005331775.tif 000006
【図６】
0005331775.tif 000007
【図７】
0005331775.tif 000008